(57)【要約】      （修正有）【課題】三角形柱状の食品を包装する包装体において、大きな取出し口を形成するように開封することができ、食品を容易に取り出すことができるプラスチックシート製の食品包装体を提供する。【解決手段】等脚台形の食品収容部２と、食品収容部２の上に設けられる頭頂部３を有する食品包装体１であり、頭頂部３を下から上に向いて幅が広がる形状にすることにより、食品収容部２に幅の広い開封補助帯４を設けることができ、食品を取り出すのに十分な開口を形成できるようにした。【選択図】図１
0003178891.tif 000002
【実用新案登録請求の範囲】
【請求項１】
２枚のプラスチックシートを重ね合わせて形成した食品包装体であり、等脚台形の食品収容部と、食品収容部の上に設けられる頭頂部を有し、食品収容部には開封補助帯が設けられており、頭頂部の上縁部には開封補助帯の幅の外側に切り込み部が設けられており、頭頂部は下から上に向いて幅が広がる形状である食品包装体。
【請求項２】
食品収容部の下に底面形成部が設けられており、底面形成部は下から上に向いて幅が広がる等脚台形であり、底面形成部の側辺の傾斜角が頭頂部の側辺の傾斜角と同じである請求項１に記載の食品包装体。
【考案の詳細な説明】
【技術分野】
【０００１】
この考案は、調理パンや菓子パンなど略三角形の食品を包装するためのプラスチックフィルム製の食品包装体に関し、特にチーズケーキなどのように厚さが小さい食品に適した食品包装体に関する。
【背景技術】
【０００２】
調理パンや菓子パンなど略三角形の食品の包装体として、例えば特許文献１などには、プラスチックフィルム製の食品包装体が記載されている。このような食品包装体は２枚の概ね等脚台形状のプラスチックシートを溶着などによって接続し、袋体として形成される。
【０００３】
このような従来の食品包装体は、２枚のプラスチックフィルムを重ね合わせ、脚台形状の斜辺および上辺に沿って溶断して製造されるのが通常である。溶断により、２枚のプラスチックシートは接続される。こうして、下辺部が開口した袋体が形成される。そして、一方のプラスチックフィルムの中心線に沿ってカットテープなど開封補助帯が設けられる。さらに、袋体の上に外縁部が設けられ、この外縁部には切り込みが設けられている。
【０００４】
この袋体の中に三角形の食品を入れ、プラスチックシートの開口部を折り畳み、封止する。このとき、カットテープは三角柱状の食品の側面に沿って表れる。外縁部の切り込みよりフィルムの破断を開始し、さらにカットテープにより開封する。
【先行技術文献】
【特許文献】
【０００５】
【特許文献１】実開平７−８２３８号公開実用新案公報
【考案の概要】
【考案が解決しようとする課題】
【０００６】
特許文献１に記載のものなど従来の食品包装体は、三角柱状の食品の中でも主にサンドイッチなど、厚みのある食品に対して使用される。特に、サンドイッチの場合、一つの包装体に２〜３組のサンドイッチが入れられているので、一回に取出す分の厚さは小さく、比較的小さい開封口でも取出すことができる。
【０００７】
しかし、チーズケーキなどの菓子類では、一つの包装体に１個だけしか入っていないので、一回にすべての中身を取り出すことになる。したがって、カットテープを複数本平行に設けるなどして、側面の幅のほぼ全部に渡るくらいの広い幅の開封補助帯を設ける必要がある。しかし、外縁部（頂部）の切り込みは、開封補助帯の幅の外側に形成しなければならないので、開封補助帯を袋体の側面の幅いっぱいに設けることができない。そこで、チーズケーキ用の包装においては、チーズケーキの大きさよりもかなり大きなサイズの包装体が使用されている。これは、材料の無駄な使用であるとともに、大きな隙間のある収納状態では、外観が悪い。
【０００８】
この考案は、大きな取出し口を形成するように開封することができ、食品を容易に取り出すことができるプラスチックシート製の食品包装体を提供することを目的とする。
【課題を解決するための手段】
【０００９】
上述の課題を解決するため、この考案の食品包装体は、２枚のプラスチックシートを重ね合わせて形成した食品包装体であり、等脚台形の食品収容部と、食品収容部の上に設けられる頭頂部を有し、食品収容部には開封補助帯が設けられており、頭頂部の上縁部には開封補助帯の幅の外側に切り込み部が設けられており、頭頂部は下から上に向いて幅が広がる形状である。さらに、食品収容部の下に底面形成部が設けられており、底面形成部は下から上に向いて幅が広がる等脚台形であり、底面形成部の側辺の傾斜角が頭頂部の側辺の傾斜角と同じであることが好ましい。
【考案の効果】
【００１０】
この考案の食品包装体は、広い開封補助帯を設けることができ、広い開封口から容易に中の食品を取り出すことができる。
【図面の簡単な説明】
【００１１】
【図１】食品包装体を示す平面図である。
【図２】食品包装体の使用状態を示す斜視図である。
【図３】食品包装体の製造方法を示す平面図である。
【考案を実施するための形態】
【００１２】
この考案を実施するための形態について図面に基づいて説明する。図１は食品包装体を示す平面図である。この考案の食品包装体１は、２枚のプラスチックシートを重ね合わせて形成されている。等脚台形の食品収容部２と、食品収容部２の上に設けられる頭頂部３を有する。食品収容部２から頭頂部３に渡って、中心線に沿って開封補助帯４が設けられており、頭頂部３の上縁部には開封補助帯４の幅の外側に切り込み部５が設けられている。そして、頭頂部３は下から上に向いて幅が広がる形状である。特にこの例では、頭頂部３は等脚台形であり、その側辺は角度θの傾斜を有する。
【００１３】
この食品包装体１を構成する２枚のプラスチックシートは、透明または半透明のものであり、加熱することによりシート同士を接着できるような熱溶着性のものが好ましい。
【００１４】
食品収容部２の主要部は実質的に等脚台形である。上辺部６には熱溶着などによる封止帯７が設けられ、また、側辺部８も溶断などにより閉じられている。一方、下辺部９は閉じられていない。そして、この食品収容部２は上辺側６が下辺側７より狭い等脚台形である。
【００１５】
この例では、食品収容部２の下に底面形成部１０が設けられている。この底面形成部１０は、下から上に向いて幅が広がる等脚台形のリブである。そして、その側辺の傾斜角は頭頂部３の側辺の傾斜角θと同じである。また、頭頂部３と面形成部１０の高さも同じである。底面形成部１０の下辺部は開口している。
【００１６】
特許文献１など従来の三角形の食品の包装体に比べ、本考案の食品収容部２は広い幅Ｗ１の開封補助帯４を有する。食品収容部２の上辺部６の幅Ｗ２の７０％以上の幅Ｗ１にすることができる。例えば、上辺部６の幅Ｗ２を３２ｍｍ、開封補助帯４の幅Ｗ１を２５ｍｍとし、Ｗ１をＷ２の８割程度することができる。このような幅の広い開封補助帯４は一体で形成するほか、複数のカットテープを平行に設けることによって形成してもよい。
【００１７】
頭頂部３の上縁部には一対の切り込み部５が設けられているが、その間隔はＷ３である。この間隔Ｗ３は開封補助帯４の幅Ｗ１より広く、食品収容部２の上辺部６の幅Ｗ２よりは狭い。本例では間隔Ｗ３は３２ｍｍである。この場合、特許文献の図７のように長方形の頭頂部であれば、側端から１ｍｍしか離れておらず、このような位置に切り込み部を設けることはできない。ましてや、同文献の図１に示すような上側が狭くなる形状の頭頂部では、極めて細い開封補助帯しか使用できない。しかし、この考案では頭頂部３の上縁は広くなっており、たとえばその幅Ｗ４は本例では５２ｍｍである。したがって、このような位置でも側端から十分な距離があるので、簡単に切り込み部を形成することができる。
【００１８】
この食品包装体を使用した包装方法について説明する。図２は食品包装体の使用状態を示す斜視図である。食品包装体１の下側の口部を開け、食品ｘを挿入する。比較的薄い三角柱状の食品に対しても適用することができる。ここで、食品は二等辺三角形の底面を有するものが適している。また、完全な二等辺三角形の外、これに近い外観を有する扇形の底面でもよい。食品ｘの側面（厚さ方向の面）が食品収容部２の中心部に向くようにする。そして、口部を折り畳んで封をして、粘着テープなどで止める。こうして、図２に示すような包装状態になる。このような上広がりの頭頂部３を有する食品包装体はこれまでになく、包装状態も新規な外観を有する。
【００１９】
ついで、この食品包装体の開封について説明する。頭頂部２の上縁部中央を指でつまみ、下に向いて引けば、切り込み部５より破断が始まる。そして、開封補助帯４が頭頂部３および食品収容部２から引きはがされ、食品包装体１が開封される。
【００２０】
開封補助帯４は幅が広いので、食品ｘの側面がほとんど露出するほど大きな開口が形成される。こうして形成された広い開口部より簡単に食品ｘを取り出すことができる。レアチーズケーキのようなやわらかい食品であっても、つぶれたり、形を崩したりすることなく取出すことができる。
【００２１】
さらに、この食品包装体の製造方法の例について説明する。図３は食品包装体の製造方法を示す平面図である。この例の製造方法では、食品包装体の縦方向の長さと同じ寸法の幅を有するプラスチックシート原反ｙを２枚重ねにしたものを使用する。２枚のプラスチックシート原反の内の一方には、予めカットテープなどにより開封補助帯４が一定間隔で設けられている。
【００２２】
この２枚重ねのプラスチックシート原反ｙは図３において右から左へと流れる。このプラスチックシート原反ｙを切断線ｚ１，ｚ２に沿って切断することにより、一つの食品包装体の原型が切り出される。ここで、図３の右側の切断線ｚ２に着目すると、この切断は一つの食品包装体１ａの右側の外形を形成するとともに、次の食品包装体１ｂの左側の外形をも同時に形成する。これは、底面形成部の側辺の傾斜角が頭頂部の側辺の傾斜角と同じであることによる。一つの食品包装体１ａの次には上下逆になった次の食品包装体１ｂが形成される。一つの食品包装体１ａの頭頂部３と底面形成部１０には、次の食品包装体１ｂの底面形成部１０と頭頂部３が入れ子のように隙間なく隣接することになる。こうして、効率的に食品包装体１の形状を形成していく。また、素材のプラスチックシート原反ｙを無駄にすることなく、効率的に利用でき、ゴミもほとんど生じない。
【００２３】
２つの食品包装体分の距離Ｌだけプラスチックシート原反ｙを左に送り、同様の切断をすれば、さらに２枚の食品包装体の原型が切り出される。
【００２４】
ここで、溶断による切断を行えば、切断線に沿って上下のプラスチックシートを接続することができる。これにより、食品収容部２の側部を閉じることができ、袋体が形成される。切り出された食品包装体の原型に対し、熱圧着などにより封止部７を形成し、さらに切り込み部５を形成すれば、食品包装体が得られる。
【００２５】
以上、この考案の食品包装体によれば食品収容部２の上辺の幅に対して十分広い開封補助帯４を設けることができるので、三角形柱状の食品の側面に沿って広く開口することができる。したがって、食品を簡単に取り出すことができる。また、食品に対して過剰な大きさの食品包装体を作る必要がない。食品にあった大きさに作ることができるので、原材料を無駄にすることがなく、また美しい包装状態を実現できる。この食品包装体は重ね合わせた２枚のプラスチックシート原反から、無駄なく効率的に切り出して製造することができる。
【符号の説明】
【００２６】
１．食品包装体
２．食品収容部
３．頭頂部
４．開封補助帯
５．切り込み部
７．封止部
１０．底面形成部
ｘ．食品
ｙ．プラスチックシート原反
ｚ．切断線
【図１】
0003178891.tif 000003
【図２】
0003178891.tif 000004
【図３】
0003178891.tif 000005